(57)【要約】【課題】  複数のフレキシブルな記録ディスクメディアを収納した記録ディスクカートリッジを簡易に構成できるようにする。【解決手段】  カートリッジケース２を、磁気ディスクメディア４１に平行な下壁を構成する下プレート１０と、下プレート１０の上に回動可能に配置されて複数の磁気ディスクメディア４１を仕切るインナプレート２０，２０′と、下プレートの上に固定されてカートリッジケース２の上壁を構成する上プレート３０とを備えて構成する。また、インナプレート２０，２０′の周縁部には所定範囲にわたってシャッタとしての機能を有する周壁２２を設け、周壁２２がカートリッジケースの開口部に望む第１の状態と、周壁２２が前記開口部から外れる第２の状態との間でインナプレート２０，２０′を回動させる。【選択図】      図１
2006073128.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアに平行な下壁を構成する下プレートと、前記下プレートの上に固定されて前記カートリッジケースの上壁を構成する上プレートと、前記下プレートおよび前記上プレートの間で回動可能に積層されて前記複数の記録ディスクメディアを仕切る複数のインナプレートとを備え、
前記インナプレートの周縁部には、上向きに立ち上がり、前記複数の記録ディスクメディア間の間隔を保つと共に、前記複数の記録ディスクメディアに対する防塵用のシャッタを構成する周壁が所定範囲にわたって設けられ、前記カートリッジケースには、前記記録ディスクメディアに対しデータの記録および／または再生を行うヘッドをロード／アンロードさせるための開口部を設け、
前記インナプレートは、前記周壁が前記開口部に臨む位置におかれる第１の状態と、前記周壁が前記開口部から外れる位置におかれる第２の状態との間で回動することを特徴とする記録ディスクカートリッジ。
【請求項２】
前記インナプレートと前記下プレートとの対向面に、前記インナプレートを前記下プレートに対して前記第１の状態に保持するための凹凸係合部を設けたことを特徴とする請求項１に記載の記録ディスクカートリッジ。
【請求項３】
前記インナプレートの周縁部には、ディスクドライブ側のギアに噛合して、前記インナプレートを前記第１の状態と前記第２の状態との間で回動させるギヤを設けることを特徴とする請求項１または請求項２に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報（段落００１１〜００３０、図３）
【発明の開示】
【発明が解決しようとする課題】
【０００５】
しかしながら、前記した特許文献１の磁気ディスクカートリッジは、前記した板部材を１枚の磁気ディスクメディアに対して４枚配置した可動なシャッタ部材から構成しているため、構造が複雑であり、部品点数が増えるばかりか、組立工数が増え、コストが増大する虞れがあるという問題がある。
【０００６】
このような背景に鑑みて本発明がなされたのであり、本発明は、部品点数を減らすことができ、簡素な構造からなり、組立性、生産性に優れてコストを削減できるようにした記録ディスクカートリッジを提供することを目的とする。
【課題を解決するための手段】
【０００７】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアに平行な下壁を構成する下プレートと、前記下プレートの上に固定されて前記カートリッジケースの上壁を構成する上プレートと、前記下プレートおよび前記上プレートの間で回動可能に積層されて前記複数の記録ディスクメディアを仕切る複数のインナプレートとを備え、前記インナプレートの周縁部には、上向きに立ち上がり、前記複数の記録ディスクメディア間の間隔を保つと共に、前記複数の記録ディスクメディアに対する防塵用のシャッタを構成する周壁が所定範囲にわたって設けられ、前記カートリッジケースには、前記記録ディスクメディアに対しデータの記録および／または再生を行うヘッドをロード／アンロードさせるための開口部を設け、前記インナプレートは、前記周壁が前記開口部に臨む位置におかれる第１の状態と、前記周壁が前記開口部から外れる位置におかれる第２の状態との間で回動することを特徴とする記録ディスクカートリッジである。
【０００８】
このような構成により、インナプレートの周縁部に立設した周壁がカートリッジケースに設けられた開口部に臨む第１の状態におかれたときは、前記周壁がシャッタとなってインナプレートが仕切るディスクメディアをカートリッジケースの外部と遮断することができ、ディスクメディアに塵埃等の異物が侵入するのを防止することができる。つまり、周壁は、記録ディスクメディア間の間隔を保つと共に、不使用時に複数の記録ディスクメディアに対して塵埃が侵入するのを防止する防塵壁（シャッタ）を構成するものである。また、周壁が開口部から外れる第２の状態におかれるときは、開口部を介してヘッドを記録ディスクメディアに対してロード／アンロードさせることができる。
【０００９】
また、本発明の記録ディスクカートリッジは、インナプレートと下プレートとの対向面に、前記インナプレートを前記下プレートに対して前記第１の状態に保持するための凹凸係合部を設けたことを特徴とする記録ディスクカートリッジである。
【００１０】
このような構成により、凹凸係合部によってインナプレートの周壁がカートリッジケースの開口部に臨む位置にインナプレートを確実に保持することができる。
【００１１】
さらに、本発明の記録ディスクカートリッジは、インナプレートの周縁部に、ディスクドライブ側のギアに噛合して、前記インナプレートを第１の状態と第２の状態との間で回動させるギヤを設けることを特徴とする記録ディスクカートリッジである。
【００１２】
このような構成により、ディスクドライブ側のギヤにインナプレート側のギヤを、例えば直接的に噛合させることができ、インナプレートを第１の状態から第２の状態へ、または第２の状態から第１の状態へと円滑にかつ正確に回動させることができる。
【発明の効果】
【００１３】
本発明によれば、下プレート、インナプレート、上プレートを積み上げていくと共にインナプレートの周縁部にはシャッタとしての機能を有する周壁を設ける形でカートリッジケースが構成されるので、部品の共通化により、部品点数を削減して全体の構造を簡素化でき、組立性、生産性を高め、コストを削減することができる。
【発明を実施するための最良の形態】
【００１４】
次に、本発明の実施形態について、適宜図面を参照しながら詳細に説明する。本実施形態においては、記録ディスクメディアの一例として磁気ディスクメディアを採用した場合について説明する。
【００１５】
図１は、一実施形態に係る磁気ディスクカートリッジの分解斜視図であり、図２は、一実施形態に係る磁気ディスクカートリッジと磁気ディスクドライブを示す分解図である。
図３は、一実施形態に係る磁気ディスクカートリッジを磁気ディスクドライブ内に収納した状態を示す図面であり、図４は、図３中の矢示IV−IV方向からみた断面図である。図５は、一実施形態に係る磁気ディスクカートリッジの外観斜視図の（ａ）開口部をインナプレートの周壁で閉じた状態、および（ｂ）開口部を開けた状態を示している。図６は、一実施形態に係るインナプレートを単体で示す斜視図であり、図７は、磁気ディスクドライブに装填した磁気ディスクカートリッジの図５（ｂ）における矢示VII−VII方向からみた断面図である。図８は、図７の部分拡大図であり、図９は、磁気ディスクメディアの積層構造を示す分解斜視図である。図１０は、本発明の変形例に係る磁気ディスクカートリッジを示す図面で、（ａ）は、磁気ディスクカートリッジを図３と同一方向からみた図面、（ｂ）は、図（ａ）中の矢示ｂ−ｂ方向からみた部分拡大断面図、図（ｃ）は、インナプレートを単体で示す斜視図、図（ｄ）は、カートリッジケースを単体で示す斜視図である。
【００１６】
図１に示すように、記録ディスクカートリッジの一例である磁気ディスクカートリッジ１は、下壁を構成する下プレート１０と、１枚のインナプレート２０′と、複数枚、例えば４枚のインナプレート２０と、蓋体５２と、上壁を構成する上プレート３０とを順に積層すると共に、下プレート１０と上プレート３０を溶着、接着等で固定し、さらにインナプレート２０とインナプレート２０′同士、各インナプレート２０同士およびインナプレート２０と蓋体５２とを、後記する位置決めピン２６および位置決め穴２７を介して係合することでカートリッジケース２（図５（ａ）参照）が構成されている。そして、インナプレート２０，２０′同士の間、インナプレート２０同士の間、およびインナプレート２０と蓋体５２の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００１７】
各インナプレート２０，２０′には、円板状の主プレート２１の外周縁に沿って上向きに立ち上がる円弧状の周壁２２が後記する切欠２３を除いた範囲にわたって形成されている。インナプレート２０，２０′の図１における右手前側の一部には、磁気ヘッド６１ｃ（図７参照）が磁気ディスクメディア４１上に移動しやすいように扇形状をなす切欠２３が形成されている。この切欠２３の部分は、前記した周壁２２が形成されていない。また、図５（ｂ）に示すように、カートリッジケース２の側面には、後記するアクチュエータ６１をカートリッジケース２内にロード／アンロードさせるための開口部３が形成される。この開口部３は、ディスクスタック４０と同軸に回動する各周壁２２により開閉される
【００１８】
次に、各部材についてより詳細に説明する。
下プレート１０は、主として略正方形の主プレート１１の外周縁に、側壁１３が形成されて構成されている。側壁１３は、主プレート１１の４辺のうち、３辺と残りの１辺（右手前側の１辺）１１ａの３分の１程度の範囲に亘って立設されており、およそインナプレート２０，２０′を積み重ねた高さで形成されている。そして、この残りの1辺１１ａの３分の２程度の範囲には側壁１３が形成されずに開口１４となっている。
【００１９】
また、下プレート１０のうち図１における左手前側の一辺１１ｂに沿って設けられた側壁１３の中央略３分の１の範囲は、後記するインナプレート２０′のギヤ２０ｆが露出できるように開口部３の一部を構成する開口１５が形成されている。また、当該一辺１１ｂ側の側壁１３の外側には、開口１５に連なって下プレート１０の外周に沿った溝１３ａが形成されている。溝１３ａは、磁気ディスクドライブ６０のシャッタオープンギヤ６７（図５（ａ）参照）がギヤ２０ｆに係合すべく図５（ａ）の矢印Ａｒで示す方向へロードして開口１５へ入り込む通路となっている。
【００２０】
主プレート１１の中央には、最下層の磁気ディスクメディア４１に設けられるセンタコア４２を露出させるための円形の開口部１６が形成されている。開口部１６の上側の縁には、インナプレート２０′の中央に形成された中央開口部２１ｃが外嵌するリブ１７が全周にわたって形成されている。このリブ１７は、インナプレート２０′を回動自在に支持する。また、主プレート１１には、図３および図４に示すように、開口部１６の周囲に周方向に間隔をおいて４個の係合凹部である半球形状をなす係合穴１１ｄ，１１ｄ，…が凹設されている。
【００２１】
インナプレート２０の主プレート２１の外周形状は、およそ磁気ディスクメディア４１より一回り大きな円弧形状（円弧部２４）となっている。そして、主プレート２１には円弧部２４に連なる扇形の切欠２３が形成されている。前記した周壁２２は、主プレート２１の外周縁のうち、切欠２３を除く円弧部２４の全周にわたり、上向きに立ち上がるように形成されている。このため、インナプレート２０は、周壁２２の内側の空間がおよそ円筒の形状となる凹部２５となり、この凹部２５には磁気ディスクメディア４１が収容される。そして、主プレート２１の中央には、上方のセンタコア４２を露出して、下方のセンタコア４２との連結を可能にするための中央開口部２１ｃが形成されている。また、インナプレート２０′についても、インナプレート２０と同様に、周壁２２、切欠２３、円弧部２４および凹部２５を有している。また、このインナプレート２０′の円弧部２４には、ギヤ２０ｆが設けられている。
【００２２】
また、インナプレート２０′の主プレート２１の下面（主プレート１１との対向面）には、図３および図４に示すように、中央開口部２１ｃ（図１参照）の周囲に周方向に間隔をおいて４個の半球形をなす係合凸部である係合突起２１ｄ，２１ｄ，…が形成されている。そして、図２および図５（ａ）に示すように、周壁２２がカートリッジケース２の開口部３と対応した第１の状態（シャッタが閉まった位置）におかれたときは、圧縮コイルばね４６（図１参照）のばね力により係合突起２１ｄが係合穴１１ｄ内に係合（嵌合）した状態に保持される。また、図３および図５（ｂ）に示すように、インナプレート２０，２０′が図２および図５（ｂ）の状態から右方向に回転したときには、係合突起２１ｄが圧縮コイルばね４６のばね力に抗して係合穴１１ｄから外れて下プレート１０に乗り上げ、周壁２２が開口部３から外れる第２の状態におかれる。
【００２３】
さらに、図８に示すように、インナプレート２０および蓋体５２の下面の外周部には、磁気ディスクメディア４１の回転方向に等間隔に離間して複数の位置決めピン２６，２６，…が突設されている。また、インナプレート２０，２０′の周壁２２の上端面には、前記各位置決めピン２６と対応した位置にそれぞれ位置決め穴２７，２７，…が凹設されている。そして、各位置決めピン２６をそれぞれ各位置決め穴２７に嵌合することにより、インナプレート２０，２０′および蓋体５２は磁気ディスクメディア４１の回転方向に対して切欠２３，５２ｅがそろうように位置決めされ、積層されている。
【００２４】
ここで、インナプレート２０，２０′の周壁２２は、前記したように各インナプレート２０，２０′を積層して固定することにより、開口部３（図５（ａ）参照）とディスクスタック４０とを遮断するシャッタとしての機能を有し、外部からカートリッジケース２へ塵埃が入ることを防止している。
【００２５】
インナプレート２０′のギヤ２０ｆは、シャッタである周壁２２（図２、図３、図５（ａ），（ｂ）参照）を、磁気ディスクカートリッジ１の外部から開閉操作するために係合される部分であり、インナプレート２０′の外周に、所定の範囲に亘って形成されている。なお、主プレート３１の中央に開口は形成されず、側壁１３に対応する側壁も形成されていない。
【００２６】
蓋体５２は、インナプレート２０とほぼ同様の形状を有している。すなわち、インナプレート２０の主プレート２１と同様な蓋体プレート５２ａからなり、蓋体プレート５２ａには、上プレート３０のリブ３７に外嵌する中央開口部５２ｃと、切欠２３に対応する切欠５２ｅとが形成されている。
【００２７】
蓋体５２は、中央開口部５２ｃが上プレート３０のリブ３７に外嵌することで上プレート３０に回動自在に支持されている。なお、蓋体５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが蓋体５２の下側から中央開口部５２ｃに挿通され、リブ３７に超音波溶着または接着剤などにより固定されている。
【００２８】
図８に示す拡大断面図のように、インナプレート２０′の上面、インナプレート２０の上下の両面、および蓋体５２の下面は、磁気ディスクメディア４１と対向する面であり、それぞれ磁気ディスクメディア４１に対向する部分にわたってライナ４９が貼り付けられている。
【００２９】
ライナ４９は、例えばポリエステル繊維やレーヨン／ポリエステル混紡繊維などの不織布などからなる。なお、インナプレート２０，２０′の周壁２２は、主プレート２１からライナ４９の厚みより高く突出している。そのため、インナプレート２０，２０′にライナ４９を貼り付けてアセンブリにした後に、このアセンブリを作業台などに置いたとしても、ライナ４９が作業台に接することが無く、したがってライナ４９が塵埃などで汚染されることがない。
【００３０】
次に、磁気ディスクメディア４１およびその積層構造について説明する。
磁気ディスクメディア４１は、例えばポリエステルなどの樹脂シートに磁性塗料を両面に塗布したものである。
【００３１】
図９に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３２】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
【００３３】
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３４】
このようなスペーサ４３は、図７に示すように、隣接するセンタコア４２の間に介装される。スペーサ４３の下側に突出したピン４３ｂは、スペーサ４３の下側のセンタコア４２の小孔４２ｅ（図９参照）に入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３５】
なお、最上層のセンタコア４２は、上側に回転係止すべきセンタコアが無いため、その上には下側にのみピン４３ｂを突出させた、厚みの薄いトップスペーサ４３′が配置される。
【００３６】
以上のように積層された磁気ディスクメディア４１、つまりディスクスタック４０は、連結軸４４、ベアリングボール４５、圧縮コイルばね４６、およびセンタプレート４７により、安定した回転支持がなされている。
【００３７】
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００３８】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００３９】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００４０】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００４１】
磁気ディスクカートリッジ１に対し、データの記録、再生を行う磁気ディスクドライブ６０は、図７に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図７、図８に示すように、各磁気ディスクメディア４１は、下ロータ５１とインナプレート２０′、上下のインナプレート２０同士、またはインナプレート２０と蓋体５２の各間に形成される空間の中央に位置する。
【００４２】
次に、本実施形態に用いる磁気ディスクドライブ６０について説明する。
図２に示すように、磁気ディスクドライブ６０は、箱型状をなし、カートリッジケース２（図５参照）を収容するための略四角形の収容空間である収容凹部６０ａが形成されている。また、この収容凹部６０ａの底面にはスピンドル６５が設けられている。また、収容凹部６０ａの図２中の左側面には、シャッタオープンギヤ６０ｂが設けられている。さらに、収容凹部６０ａよりも図２中の手前側には、アクチュエータ６１が設けられている。そして、アクチュエータ６１は、回転軸６１ａと、一端側が回転軸６１ａに取り付けられて他端側が二又状に分岐して延びた５本のスイングアーム６１ｄと、これらスイングアーム６１ｄの他端側に磁気ディスクメディア４１を挟んで互いに対向して設けられた５対の磁気ヘッド６１ｃとにより構成されている。
【００４３】
以上のような磁気ディスクカートリッジ１は、図２および図５（ａ）に示すように、不使用時は、シャッタとしての機能を有する各インナプレート２０，２０′の周壁２２を図中左回りに回動させて開口部３を閉塞しておくことで、内部への塵埃の侵入を防止することができる。そして、使用時には、図３および図５（ｂ）に示すように磁気ディスクドライブ６０に装填する際に、磁気ディスクドライブ６０のシャッタオープンギヤ６０ｂが、溝１３ａに嵌って案内されてギヤ２０ｆと噛合し、周壁２２を図中右回りへ回動させる。
【００４４】
そして、スピンドル６５が回転することで、ディスクスタック４０が回転する。その後、アクチュエータ６１により駆動されることでスイングアーム６１ｄが回動して、磁気ヘッド６１ｃが磁気ディスクメディア４１の上に移動される。
【００４５】
磁気ヘッド６１ｃで、磁気ディスクメディア４１にデータを記録する場合には、図示せぬ制御回路により磁気ヘッド６１ｃへ信号を送ることで磁気ディスクメディア４１にデータが記録され、磁気ディスクメディア４１からデータを再生する場合には、磁気ディスクメディア４１上の磁界変化を磁気ヘッド６１ｃで検知して、信号が出力される。
【００４６】
このとき、ライナ４９が適宜磁気ディスクメディア４１に触れることで磁気ディスクメディア４１上の塵埃が除去される。
【００４７】
磁気ディスクカートリッジ１の使用後は、磁気ヘッド６１ｃがカートリッジケース２からアンロードした後、磁気ディスクカートリッジ１をイジェクトすることで、シャッタオープンギヤ６７によりギヤ２０ｆが駆動されて各周壁２２が開口部３を閉じる。
【００４８】
このように磁気ディスクカートリッジ１は、複数の磁気ディスクメディア４１を有することから、複数の磁気ヘッド６１ｃで同時にデータにアクセスすることで、データ転送を高速で行うことができる。
【００４９】
さらに、本実施形態では、インナプレート２０，２０′の周縁部に沿って周壁２２を設け、これら各インナプレート２０，２０′を積層して固定する構成としたので、周壁２２が開口部３（図５（ａ）参照）に臨む第１の状態におかれたときには、シャッタである周壁２２が開口部３を閉じてディスクスタック４０を開口部３から遮断でき、ディスクスタック４０側への塵埃の侵入を防止できる。従って、磁気ディスクカートリッジ１の構造を簡素化でき、部品の組立性、生産性に優れた磁気ディスクカートリッジ１を提供することができる。また、周壁２２が開口部３から外れた第２の状態におかれたときには、切欠２３が開口部３に臨むようになり、磁気ヘッド６１ｃを磁気ディスクメディア４１の両面に円滑にロードすることができ、磁気ディスクメディア４１に記憶したデータに正確にアクセスすることができる。
【００５０】
以上、本発明の実施形態について説明したが、本発明は前記した実施形態に限定されることなく適宜変形して実施することが可能である。例えば、実施形態においては、下プレート１０とインナプレート２０′との対向面に半球形の係合突起２１ｄと円形の係合穴１１ｄを設ける場合を例に挙げて説明したが、本発明はこれに限らず、例えば図１０に示すように、円弧状の係合突起２１ｄ′と円弧状の係合穴１１ｄ′を追加して設ける構成としてもよい。また、係合突起２１ｄ′および係合穴１１ｂ′のみを用いる構成としてもよい。
【００５１】
また、実施形態においては、記録ディスクメディアとして磁気ディスクメディア４１を適用したが、光によりデータを記録する光ディスクメディアの場合にも同様に適用することができる。
【００５２】
さらに、実施形態においては、下プレート１０、インナプレート２０、上プレート３０を接着、溶着により固定したが、ネジ等を用いて締結固定する構成としてもよい。
【図面の簡単な説明】
【００５３】
【図１】一実施形態に係る磁気ディスクカートリッジの分解斜視図である。
【図２】一実施形態に係る磁気ディスクカートリッジと磁気ディスクドライブを示す分解図である。
【図３】一実施形態に係る磁気ディスクカートリッジを磁気ディスクドライブ内に収納した状態を示す図面である。
【図４】図３中の矢示IV−IV方向からみた断面図である。
【図５】一実施形態に係る磁気ディスクカートリッジの外観斜視図の（ａ）開口部をインナプレートの周壁で閉じた状態、および（ｂ）開口部を開けた状態を示している。
【図６】一実施形態に係るインナプレートを単体で示す斜視図である。
【図７】磁気ディスクドライブに装填した磁気ディスクカートリッジの図５（ｂ）における矢示VII−VII方向からみた断面図である。
【図８】図７の部分拡大図である。
【図９】磁気ディスクメディアの積層構造を示す分解斜視図である。
【図１０】本発明の変形例に係る磁気ディスクカートリッジを示す図面で、（ａ）は、磁気ディスクカートリッジを図３と同一方向からみた図面、（ｂ）は、係合突起が係合穴から外れた状態を、図（ａ）中の矢示ｂ−ｂ方向からみた部分拡大断面図、図（ｃ）は、インナプレートを単体で示す斜視図、図（ｄ）は、カートリッジケースを単体で示す斜視図である。
【符号の説明】
【００５４】
１      磁気ディスクカートリッジ
２      カートリッジケース
３      開口部
１０    下プレート
２０，２０′  インナプレート
２２    周壁
２３    切欠
３０    上プレート
４０    ディスクスタック
４１    磁気ディスクメディア
５２    蓋体
６１    アクチュエータ
６１ｄ  スイングアーム
６１ｃ  磁気ヘッド
【図１】
2006073128.tif 000003
【図２】
2006073128.tif 000004
【図３】
2006073128.tif 000005
【図４】
2006073128.tif 000006
【図５】
2006073128.tif 000007
【図６】
2006073128.tif 000008
【図７】
2006073128.tif 000009
【図８】
2006073128.tif 000010
【図９】
2006073128.tif 000011
【図１０】
2006073128.tif 000012